(57)【要約】【課題】Ｖ２Ｘサービスを使用する無線端末に対してＶ２Ｘサービスのためのプロビジョニングを行う手順の実現に寄与する。【解決手段】ネットワーク（４１０）内の基地局装置（１３０、２２０）は、ネットワーク（４１０）によってＶ２Ｘサービスがサポートされていることを示すＶ２Ｘサポート情報を送信する。無線端末（１００、１２０）は、Ｖ２Ｘサポート情報の受信に応答して、Ｖ２Ｘ端末情報をネットワーク（４１０）に送信する。ネットワーク（４１０）は、無線端末（１００、１２０）から送信されたＶ２Ｘ端末情報の受信後に、Ｖ２Ｘサービスのためのリソース割り当てを行う。【選択図】図４
2020114031.tif 000002
【特許請求の範囲】
【請求項１】
セルラー通信ネットワークで使用される基地局装置であって、
少なくとも１つの無線トランシーバと、
プロセッサと、を有し、
前記プロセッサは、    前記基地局装置を含むサービングネットワークによってVehicle-to-Everything（V2X）サービスがサポートされていることを示すV2Xサポート情報を前記少なくとも１つの無線トランシーバを介して第１の無線端末に送信し、
前記V2Xサポート情報を受信した前記第１の無線端末から送信されたV2X端末情報を受信した後に、前記V2Xサービスのためのリソース割り当てを行う、
を備える、基地局装置。
【請求項２】
前記プロセッサは、前記基地局装置によって提供されるセル内において前記第１の無線端末を含む複数の無線端末が前記V2Xサポート情報を受信できるように前記V2Xサポート情報をブロードキャストするよう構成されている、
請求項１に記載の基地局装置。
【請求項３】
前記プロセッサは、セルラー通信に使用される第１の搬送波周波数帯域と前記V2Xサービスに使用される第２の搬送波周波数帯域の両方で前記V2Xサポート情報を送信するよう構成されている、
請求項１又は２に記載の基地局装置。
【請求項４】
前記V2Xサポート情報は、（ａ）前記V2Xサービスが利用できること、（ｂ）前記V2Xサービスに使用される搬送波周波数帯域、（ｃ）前記V2Xサービスに使用される前記搬送波周波数帯域の測定設定、（ｄ）サポートされるV2Xサービスのタイプ、及び（ｅ）前記V2Xサービスのために無線端末に許可される送信パワー、のうち少なくとも１つを示す、
請求項１〜３のいずれか１項に記載の基地局装置。
【請求項５】
前記V2Xサポート情報は、前記第１の無線端末を含む複数の無線端末の各々による前記V2Xサービスのための自発的なリソース選択に使用される無線リソースプールを示す、
請求項１〜４のいずれか１項に記載の基地局装置。
【請求項６】
前記無線リソースプールは、前記V2Xサービスに含まれる１又は複数のV2Xサービスのタイプ毎、無線端末のV2X動作モード毎、V2Xサービスエリア毎、無線端末のデバイス・タイプ毎、又は事前設定されたカテゴリ毎の無線リソースプールを含む、
請求項５に記載の基地局装置。
【請求項７】
前記V2X端末情報は、（ａ）前記第１の無線端末が前記V2Xサービスに関心があること、（ｂ）前記第１の無線端末が前記V2Xサービスの利用を希望すること、（ｃ）前記第１の無線端末が前記V2Xサービスのためにサポートしている周波数帯域、（ｄ）前記第１の無線端末が前記V2Xサービスのために使用できる周波数帯域、（ｅ）前記第１の無線端末が関心のあるV2Xサービス・タイプ、及び（ｆ）前記第１の無線端末のデバイス・タイプ、のうち少なくとも１つを示す、
請求項１〜６のいずれか１項に記載の基地局装置。
【請求項８】
前記V2X端末情報は、前記第１の無線端末がRoad Side Unit（RSU）であるか否かを示す、
請求項１〜７のいずれか１項に記載の基地局装置。
【請求項９】
前記プロセッサは、前記第１の無線端末に関するハンドオーバ要求をターゲット基地局に送信するよう構成され、
前記ハンドオーバ要求は、前記第１の無線端末が前記V2Xサービスに関心があること、前記V2Xサービスの利用を許可されていること、前記V2Xサービスのために認証済みであること、又は前記V2Xサービスのために承認済みであること、のうち少なくとも１つを示す、
請求項１〜８のいずれか１項に記載の基地局装置。
【請求項１０】
セルラー通信ネットワークで使用される基地局装置における方法であって、
前記基地局装置を含むサービングネットワークによってVehicle-to-Everything（V2X）サービスがサポートされていることを示すV2Xサポート情報を第１の無線端末に送信すること、及び
前記V2Xサポート情報を受信した前記第１の無線端末から送信されたV2X端末情報を受信した後に、前記V2Xサービスのためのリソース割り当てを行うこと、
を備える、方法。
【請求項１１】
少なくとも１つの無線トランシーバと、
プロセッサと、を有し、
前記プロセッサは、
サービングネットワークによってVehicle-to-Everything（V2X）サービスがサポートされていることを示すV2Xサポート情報を前記サービングネットワークから前記少なくとも１つの無線トランシーバを介して受信し、
前記V2Xサポート情報の受信に応答してV2X端末情報を前記サービングネットワークに送信し、
前記V2X端末情報の送信後に、前記V2Xサービスのためのリソースの割り当てを示すV2X設定を前記サービングネットワークから受信し、
前記V2X設定に従ってV2X通信を行う、
無線端末。
【請求項１２】
無線端末における方法であって、
サービングネットワークによってVehicle-to-Everything（V2X）サービスがサポートされていることを示すV2Xサポート情報を前記サービングネットワークから受信すること、
前記V2Xサポート情報の受信に応答してV2X端末情報を前記サービングネットワークに送信すること、
前記V2X端末情報の送信後に、前記V2Xサービスのためのリソースの割り当てを示すV2X設定を前記サービングネットワークから受信すること、及び
前記V2X設定に従ってV2X通信を行うこと、
を備える、方法。
【請求項１３】
セルラー通信ネットワークであって、
前記セルラー通信ネットワークによってVehicle-to-Everything（V2X）サービスがサポートされていることを示すV2Xサポート情報を第１の無線端末に送信するよう構成された１つ以上の基地局と、
前記V2Xサポート情報を受信した前記第１の無線端末から送信されたV2X端末情報を受信した後に、前記V2Xサービスのためのリソース割り当てを行うよう構成された制御エンティティと、
を備えるセルラー通信ネットワーク。
【請求項１４】
セルラー通信ネットワークにおける方法であって、
前記セルラー通信ネットワークによってVehicle-to-Everything（V2X）サービスがサポートされていることを示すV2Xサポート情報を第１の無線端末に１つ以上の基地局から送信すること、
前記V2Xサポート情報を受信した前記第１の無線端末から送信されたV2X端末情報を前記１つ以上の基地局を介して受信した後に、前記V2Xサービスのためのリソース割り当てを行うこと、
を備える方法。
【請求項１５】
請求項１０又は１２に記載の方法をコンピュータに行わせるためのプログラム。
【発明の詳細な説明】
【技術分野】
【０００１】
本開示は、無線通信システムに関し、特にV2Xサービスに関する。
【背景技術】
【０００２】
非特許文献１は、Long Term Evolution（LTE）ベースのVehicle-to-Everything（V2X）サービスに関するユースケース（use cases）及び潜在的な要件（potential requirements）について記載している。V2Xは、車両に関する通信（vehicular communications）を意味し、Vehicle-to-Vehicle（V2V）通信、Vehicle-to-Infrastructure（V2I）通信、及びVehicle-to-Pedestrian（V2P）通信を含む。V2V通信又はV2Vサービスは、車両に搭載され且つV2V applicationを使用するUser Equipments（UEs）の間の通信又はサービスである。V2I通信又はV2Iサービスは、双方がV2I applicationを使用するUEとRoad Side Unit（RSU）との間の通信又はサービスを意味する。特に断らないかぎり、V2I通信は、Infrastructures-to-Vehicle（I2V）通信を含む。また、ここでのUEは、車両UEのみでなく、歩行者のUEを含む。RSUは、ロードサイドに設置されるエンティティであり、V2Iアプリケーションを使用する車両UEとの送受信を含むV2Iサービスをサポートする。RSUは、LTE等の基地局（つまり、Evolved Node B（eNB））又は据え付けのUE（stationary UE）に実装される。V2P通信又はV2Pサービスは、双方がV2I applicationを使用する車両UEと歩行者のUEとの間の通信又はサービスを意味する。V2P通信は、RSUを介して行われてもよく、V2I2P通信又はP2I2V通信と呼ばれることもある。
【０００３】
非特許文献１に記載されたV2Iサービスに関する幾つかのユースケースを紹介する。非特許文献１は、セクション5.6 V2I Emergency Stop Use Caseにおいて、車両とRSUが共にProse-enabled UEを実装しており、車両とRSUがProximity-based services (Prose)通信を行う構成を記載している。ProSe通信は、device-to-device（D2D）通信の一例であり、近接する２以上のProSe-enabled UEsの間の直接通信（direct communication）を含む。当該ユースケースでは、車両Ａは、例えば緊急停止（emergency stop）などのイベントを示すメッセージをサービスRSUに送信する。サービスRSUは、車両Ａから当該メッセージを受信し、当該メッセージを周囲の車両にリレーする。サービスRSUの送信レンジ内に位置する全ての車両は、当該メッセージを受信することができる。
【０００４】
非特許文献１のセクション5.14 V2X Road safety service via infrastructureに記載されたユースケースでは、RSU Cは、自身が管理するエリア内でアクシデントが発生したことを検出し、アクシデントの発生を遠隔のサーバ（Traffic Safety Server（TSS）又はIntelligent Transport Systems（ITS）サーバ）に通知するとともに、当該情報のエリア内への送信を開始する。サーバは、RSU Cが管理するエリア内でアクシデントが発生したことをRSU Cの近くのRSUsに知らせる。近くのRSUsは、RSU Cによって示されたエリア内でアクシデントが発生したことを示すV2Xメッセージの送信を開始する。
【先行技術文献】
【非特許文献】
【０００５】
【非特許文献１】3GPP S1-151330 “3GPP TR 22.885 V0.2.0 Study on LTE Support for V2X Services (Release 14)”, 2015年4月
【発明の概要】
【発明が解決しようとする課題】
【０００６】
非特許文献１は、V2Xサービスを開始するための具体的な手順を示していない。すなわち、車両UE、歩行者UE、又はUE機能を有するRSU等のV2Xサービスを使用するUEに対してV2Xサービスのためのプロビジョニングを行う手順が明らかではない。
【０００７】
本明細書に開示される実施形態が達成しようとする目的の１つは、V2Xサービスを使用する無線端末に対してV2Xサービスのためのプロビジョニングを行う手順の実現に寄与する装置、方法、及びプログラムを提供することである。なお、この目的は、本明細書に開示される実施形態が達成しようとする複数の目的の１つに過ぎないことに留意されるべきである。その他の目的又は課題と新規な特徴は、本明細書の記述又は添付図面から明らかにされる。
【課題を解決するための手段】
【０００８】
第１の態様では、基地局装置は、少なくとも１つの無線トランシーバ及び少なくとも１つのプロセッサを含む。前記少なくとも１つのプロセッサは、前記基地局装置を含むサービングネットワークによってVehicle-to-Everything（V2X）サービスがサポートされていることを示すV2Xサポート情報を前記少なくとも１つの無線トランシーバを介して送信し、前記V2Xサポート情報を受信した第１の無線端末から送信されたV2X端末情報の受信に応答してV2X設定を前記第１の無線端末に送信するよう構成されている。
【０００９】
第２の態様では、基地局装置における方法は、（ａ）前記基地局装置を含むサービングネットワークによってVehicle-to-Everything（V2X）サービスがサポートされていることを示すV2Xサポート情報を送信すること、及び（ｂ）前記V2Xサポート情報を受信した第１の無線端末から送信されたV2X端末情報の受信に応答してV2X設定を前記第１の無線端末に送信すること、を含む。
【００１０】
第３の態様では、無線端末は、少なくとも１つの無線トランシーバ及び少なくとも１つのプロセッサを含む。前記少なくとも１つのプロセッサは、サービングネットワークによってVehicle-to-Everything（V2X）サービスがサポートされていることを示すV2Xサポート情報を前記サービングネットワークから前記少なくとも１つの無線トランシーバを介して受信し、前記V2Xサポート情報の受信に応答して前記V2Xサービスに関心があることを示すV2X端末情報を前記サービングネットワークに送信し、前記V2X端末情報の送信に応答して前記サービングネットワークから送信されるV2X設定を受信し、前記V2X設定に従ってV2X通信を行うよう構成されている。
【００１１】
第４の態様では、無線端末における方法は、（ａ）サービングネットワークによってVehicle-to-Everything（V2X）サービスがサポートされていることを示すV2Xサポート情報を前記サービングネットワークから受信すること、（ｂ）前記V2Xサポート情報の受信に応答して前記V2Xサービスに関心があることを示すV2X端末情報を前記サービングネットワークに送信すること、及び（ｃ）前記V2X端末情報の送信に応答して前記サービングネットワークから送信されるV2X設定を受信し、前記V2X設定に従ってV2X通信を行うこと、を含む。
【００１２】
第５の態様では、セルラー通信ネットワークは、１つ以上の基地局、及び制御エンティティを含む。前記１つ以上の基地局は、記セルラー通信ネットワークによってVehicle-to-Everything（V2X）サービスがサポートされていることを示すV2Xサポート情報を送信するよう構成されている。前記制御エンティティは、前記V2Xサポート情報を受信した第１の無線端末から送信されたV2X端末情報を受信したことに応答して、V2X設定を前記１つ以上の基地局を介して前記第１の無線端末に送信するよう構成されている。
【００１３】
第６の態様では、セルラー通信ネットワークにおける方法は、（ａ）前記セルラー通信ネットワークによってVehicle-to-Everything（V2X）サービスがサポートされていることを示すV2Xサポート情報を基地局から送信すること、（ｂ）前記V2Xサポート情報を受信した第１の無線端末から送信されたV2X端末情報を前記１つ以上の基地局を介して受信したことに応答して、V2X設定を前記１つ以上の基地局を介して前記第１の無線端末に制御エンティティから送信すること、を含む。
【００１４】
第７の態様では、プログラムは、コンピュータに読み込まれた場合に、上述の第２又は第４の態様に係る方法をコンピュータに行わせるための命令群（ソフトウェアコード）を含む。
【発明の効果】
【００１５】
上述の態様によれば、V2Xサービスを使用する無線端末に対してV2Xサービスのためのプロビジョニングを行う手順の実現に寄与する装置、方法、及びプログラムを提供できる。
【図面の簡単な説明】
【００１６】
【図１】実施形態に係る無線通信システムの構成例を示す図である。
【図２】実施形態に係る無線通信システムの構成例を示す図である。
【図３】実施形態に係る無線通信システムのアーキテクチャ／配置（deployments）の例を示す図である。
【図４】実施形態に係るV2Xサービスのためのプロビジョニング手順の一例を示すシーケンス図である。
【図５】実施形態に係るハンドオーバ手順の一例を示すシーケンス図である。
【図６】実施形態に係る無線通信システムにおけるメッセージ転送の第１の例を示す図である。
【図７】実施形態に係る無線通信システムにおけるメッセージ転送の第２の例を示す図である。
【図８】実施形態に係る無線通信システムにおけるメッセージ転送の第３の例を示す図である。
【図９】実施形態に係る無線通信システムにおけるメッセージ転送の第４の例を示す図である。
【図１０】実施形態に係るRSU及び基地局の構成例を示すブロック図である。
【図１１】実施形態に係るRSU及び無線端末の構成例を示すブロック図である。
【図１２】実施形態に係るサーバ及びV2Xコントローラの構成例を示すブロック図である。
【発明を実施するための形態】
【００１７】
以下では、具体的な実施形態について、図面を参照しながら詳細に説明する。各図面において、同一又は対応する要素には同一の符号が付されており、説明の明確化のため、必要に応じて重複説明は省略される。
【００１８】
以下に示される実施形態は、LTE及びSAE（System Architecture Evolution）を収容するEvolved Packet System（EPS）を主な対象として説明される。しかしながら、これらの実施形態は、EPSに限定されるものではなく、他のモバイル通信ネットワーク又はシステム、例えば3GPP UMTS、3GPP2 CDMA2000システム（1xRTT, HRPD (High Rate Packet Data)）、global system for mobile communications（GSM（登録商標））/ General packet radio service（GPRS）システム、及びWiMAXシステム等に適用されてもよい。
【００１９】
＜第１の実施形態＞
図１は、第１の実施形態を含むいくつかの実施形態に係る無線通信システムの構成例を示している。無線端末（UE）１００〜１０２は、車両に搭載される。車両UE１００〜１０２は、車載処理ユニット（例えば、カーナビゲーションシステム）内に実装されてもよい。車両UE１００〜１０２は、V2IサービスをサポートするためにV2I アプリケーションを実行する。UE１００〜１０２は、他のV2Xサービス、つまりV2Vサービス若しくはV2Pサービス又はこれら両方をサポートしてもよい。
【００２０】
RSU１２０及び１２１は、ロードサイドに設置される。図１の例では、RSU１２０は、交差点１１０の近くに設置される。RSU１２０及び１２１は、限定されないが例えば、Prose-enabled UEをそれぞれ実装しており、V2Iサービスを提供するために車両UE１００〜１０２とProSe通信を行ってもよい。なお、RSU１２０及び１２１は、ProSe UE-to-Network Relay（i.e., Relay UE）として動作してもよい。ProSe UE-to-Network Relayは、主にカバレッジ外のUE（remote UE）とネットワークとの間でトラフィック（ダウンリンク及びアップリンク）を中継する。RSU１２０及び１２１は、無線コネクションを介してセルラー通信ネットワーク内の基地局（eNB）１３０と通信し、eNB１３０を介してサーバ１４０（e.g., ITSサーバ又はTSS）とさらに通信する。
【００２１】
なお、既に説明したように、3GPP Release 12に規定されたProximity-based services（ProSe）は、D2D通信の一例である。D2D通信は、直接通信（Direct Communication）および直接ディスカバリ（Direct Discovery）の少なくとも一方を含む。3GPP Release 12では、直接通信または直接ディスカバリに用いられるUE間の無線リンクは、PC5インタフェース又はサイドリンク（Sidelink）と呼ばれる。したがって、ProSeは、少なくともSidelinkを使用した通信（又はサービス）の総称であると言うことができる。図１の例では、UE又はRelay UE として動作するRSU１２０及びUE１００又は１０１の間の通信、並びに２以上のUE間の通信は、サイドリンクを使用してもよい。なお、3GPP Release 12では、サイドリンク送信は、アップリンク及びダウンリンクのために定義されたLong Term Evolution（LTE）フレーム構造と同じフレーム構造を使用し、周波数および時間ドメインにおいてアップリンク・リソースのサブセットを使用する。3GPP Release 12では、UEは、アップリンクと同様のシングルキャリア周波数分割多重（Single Carrier Frequency Division Multiple Access（SC-FDMA））を使用してサイドリンク送信を行う。
【００２２】
サーバ１４０は、V2XサービスをサポートするUE１００〜１０２並びにRSU１２０及び１２１と通信する。より具体的に述べると、サーバ１４０は、基地局１３０を含むセルラー通信ネットワークを介して、UE１００〜１０２並びにRSU１２０及び１２１の各々において実行されるV2Xアプリケーションとアプリケーションレイヤ（アプリケーションレベル）で通信する。言い換えると、UE１００〜１０２とサーバ１４０の間の参照点（reference point）は、セルラー通信ネットワークのユーザープレーンに依存してもよく、UE１００〜１０２とサーバ１４０の間のシグナリング及びデータは当該ユーザープレーン上で転送されてもよい。同様に、RSU１２０及び１２１とサーバ１４０の間の参照点は、セルラー通信ネットワークのユーザープレーンに依存してもよい。
【００２３】
サーバ１４０は、ITSサーバ又はTSSであってもよい。例えば、サーバ１４０は、何らかのアクシデントの発生を示す報告情報をRSU１２０から受信したことに応答して、RSU１２０が管理するエリア内でアクシデントが発生したことをRSU１２０の近くのRSUs（e.g., RSU１２１）に知らせてもよい。
【００２４】
さらに、いくつかの実装において、セルラー通信ネットワークによって提供されるV2Xサービスを利用するために、UE１００〜１０２は、基地局１３０（及びコアネットワーク）を介してV2Xコントローラ１５０と通信してもよい。さらに、UEとして動作するRSU１２０及び１２１も、基地局１３０（及びコアネットワーク）を介してV2Xコントローラ１５０と通信してもよい。
【００２５】
V2Xコントローラ１５０は、V2Xサービスのために必要なセルラー通信ネットワーク（i.e., Public Land Mobile Network (PLMN)）に関連した動作に用いられる論理的な機能（logical function）を提供する。例えば、V2Xコントローラ１５０は、V2XサービスのためのUE１００〜１０２の認証または承認を行ってもよい。V2Xコントローラ１５０は、UEとして動作するRSU１２０及び１２１の認証または承認を行ってもよい。V2Xコントローラ１５０は、V2X functionエンティティと呼ばれてもよい。
【００２６】
UE１００〜１０２（並びにRSU１２０及び１２１）とサーバ１４０との間の参照点（reference point）又はインタフェースは、セルラー通信ネットワークのユーザープレーンに依存してもよく、UE１００〜１０２（並びにRSU１２０及び１２１）とサーバ１４０との間のシグナリング及びデータは当該ユーザープレーン上で転送されてもよい。
【００２７】
図２は、第１の実施形態を含むいくつかの実施形態に係る無線通信システムの他の構成例を示している。図２の例では、RSU２２０及び２２１の各々は、基地局（eNB）として動作する。
【００２８】
図１及び図２の構成において、UE１００〜１０２の一部又は全ては、歩行者のUEであってもよい。さらに、図１及び図２の構成において、サーバ１４０は、eNB１３０又はeNBとして動作するRSU２２０若しくは２２１と共に同一サイト内にコロケートされてもよい。このようなサーバは、Mobile Edge Computing（MEC）サーバと呼ばれる。これに代えて、サーバ１４０は、eNB１３０（又はRSU２２０若しくは２２１）のサイトから地理的に離れた遠隔のサイトに配置され、セルラー通信ネットワーク内の１又は複数のエンティティ（e.g., Mobility Management Entity、Packet Data Network Gateway（P-GW）、及びServing Gateway（S-GW））を介してeNB１３０と通信してもよい。
【００２９】
図３は、第１の実施形態を含むいくつかの実施形態に係る無線通信システムのアーキテクチャ／配置（deployments）の例を示す図である。図１及び図２を参照して説明したように、ある実装においてRSU１２０及び１２１はUEの機能を有し、他の実装においてRSU２２０はeNBの機能を有する。すなわち、いくつかの実装において、V2XサービスをサポートするUE（e.g., UE１００）は、UEとして動作するRSU１２０及びeNB１３０を通る経路３６１を介してサーバ１４０と通信することができる。さらに又はこれに代えて、いくつかの実装において、図３の経路３６２に示されるように、UE（e.g., UE１００）は、RSU１２０を介さずにeNB１３０と直接的に接続し、サーバ１４０と通信することができる。さらに又はこれに代えて、いくつかの実装において、図３の経路３６３に示されるように、UE（e.g., UE１００）は、eNBとして動作するRSU２２０に接続し、RSU２２０を介してサーバ１４０と通信することができる。
【００３０】
UEとして動作するRSU１２０とeNB１３０の間の通信３５１は、V2Xサービスために確保された個別の（dedicated）搬送波周波数帯域ｆ１を使用してもよい。これに代えて、通信３５１は、いずれのオペレータにもライセンスされていない又は複数のオペレータによって共用される共用周波数帯域（Shared frequency band、Shared spectrum）ｆ２を使用してもよい。このような共用周波数を使用した通信は、Licensed Shared Access (LSA)とも呼ばれる。これに代えて、通信３５１は、セルラー通信ネットワークのオペレータにライセンスされた搬送波周波数帯域ｆ３を使用してもよい。通信３５１と同様に、UE１００とRSU（UE）１２０の間の通信３５２、UE１００とeNB１３０の間の通信３５３、及びUE１００とeNBとして動作するRSU２２０の間の通信３５４も、上述した周波数帯域ｆ１、ｆ２、及びｆ３のいずれを使用してもよい。さらに、UE間の通信（図示なし）も、上述した周波数帯域ｆ１、ｆ２、及びｆ３のいずれを使用してもよい。
【００３１】
続いて以下では、V2Xサービスのプロビジョニング手順について説明する。図４は、プロビジョニング手順の一例である処理４００を示すシーケンス図である。ネットワーク４１０は、図１の構成例では少なくともeNB１３０を含み、図２の構成例では少なくともeNBとして動作するRSU２２０を含む。ネットワーク４１０は、さらに、V2Xコントローラ１５０を含んでもよい。
【００３２】
ステップ４０１では、ネットワーク４１０は、eNB１３０を含むサービングネットワーク（セルラー通信ネットワーク）によってV2Xサービスがサポートされていることを示すV2Xサポート情報（V2X Support Information）を送信する。V2Xサポート情報は、eNB１３０又はeNBとして動作するRSU２２０によって送信される。さらに、V2Xサポート情報は、UEとして動作するRSUによって送信されてもよい。この場合、RSUは、eNB１３０から受信したV2Xサポート情報の一部又は全てをブロードキャストしてもよいし、グループキャストしてもよい。
【００３３】
V2Xサポート情報は、（ａ）V2Xサービスが利用できること、（ｂ）V2Xサービスに使用される搬送波周波数帯域、（ｃ）V2Xサービスに使用される搬送波周波数帯域の測定設定（measurement configuration）、（ｄ）サポートされるV2Xサービスのタイプ（e.g., V2V、V2I、V2P）、及び（ｅ）V2Xサービスのために無線端末に許可される送信パワー、のうち少なくとも１つを示してもよい。なお、（ａ）V2Xサービスが利用できること、は当該V2Xサポート情報が送信されることにより暗示的に示されてもよい。また、（ｂ）V2Xサービスに使用される搬送波周波数帯域と共に、V2Xサービスが提供されるネットワーク識別子（e.g., PLMN identity list）またはエリア識別子（e.g., V2X area list）が送信されてもよい。
【００３４】
さらに又はこれに代えて、V2Xサポート情報は、各UEによるV2Xサービスのための自発的なリソース選択（autonomous resource selection）に使用される無線リソースプールを示してもよい。当該無線リソースプールは、V2Xサービスに含まれる１又は複数のV2Xサービスのタイプ毎（e.g., V2V、V2I、V2P）、UEとして動作するRSUのV2X動作モード（e.g., リレーモード、ダイレクトモード）毎、V2Xサービスエリア毎、UEのデバイス・タイプ毎（e.g., RSU、Vehicle、Pedestrian）、又は事前設定されたカテゴリ毎（e.g., スピード、（移動）走行方向、車線）の無線リソースプールを含んでもよい。当該無線リソースプールは、V2Xサービスが行われる搬送波周波数帯域毎に設定されてもよい。
【００３５】
さらに又はこれに代えて、V2Xサポート情報は、V2Xのための同期設定を含んでもよい。
【００３６】
eNB１３０又はRSU（eNB）２２０は、少なくともアイドル状態（e.g., RRC_IDLE）の複数のUEがV2Xサポート情報を受信できるように、eNB１３０又はRSU（eNB）２２０によって提供されるセル内においてV2Xサポート情報をブロードキャストしてもよい。eNB１３０又はRSU（eNB）２２０は、System Information Block（SIB）を運ぶブロードキャスト制御チャネル（Broadcast Control Channel（BCCH））上でV2Xサポート情報を送信してもよい。
【００３７】
eNB１３０又はRSU（eNB）２２０は、セルラー通信に使用される第１の搬送波周波数帯域（e.g., セルラーオペレータにライセンスされた周波数帯域ｆ３）とV2Xサービスに使用される第２の搬送波周波数帯域（e.g., V2Xのための個別周波数帯域ｆ１）の両方でV2Xサポート情報を送信してもよい。いくつかの実装において、V2Xサポート情報がこれら２つの周波数帯域の両方で送信される場合、一方の周波数帯域（e.g., セルラーオペレータにライセンスされた周波数帯域ｆ３）で送信される情報が他方の周波数帯域（e.g., V2Xのための個別周波数帯域ｆ１）で送信される情報よりも優先されてもよい。
【００３８】
いくつかの実装において、UE１００がセルラー通信ネットワークのカバレッジ外（out-of-coverage）にいる場合、UE１００は、V2Xのための個別周波数帯域ｆ１で送信されるV2Xサポート情報を使用してもよい。例えば、RSU（UE）１２０が、eNB１３０から送信されるV2Xサポート情報を受信し、当該V2Xサポート情報（の少なくとも一部）をV2Xサービスための個別周波数帯域ｆ１でブロードキャスト又はグループキャストしてもよいし、UE１００へ転送（中継）してもよい。あるいは、UE１００は、予め格納された設定（e.g., 予め設定されたV2X用の無線リソース）を使用してもよい。
【００３９】
図４のステップ４０２では、UE１００又はRSU１２０は、V2Xサポート情報の受信に応答して、V2Xサービスに関心があることを示すV2X端末情報、つまりV2X UE情報（V2X UE Information）をネットワーク４１０に送信する。
【００４０】
V2X UE情報は、（ａ）UE１００又はRSU１２０がV2Xサービスに関心があること、（ｂ）UE１００又はRSU１２０がV2Xサービスの利用を希望すること、（ｃ）UE１００又はRSU１２０がV2Xサービスのためにサポートしている周波数帯域、（ｄ）UE１００又はRSU１２０が記V2Xサービスのために使用できる周波数帯域、（ｅ）UE１００又はRSU１２０が関心のあるV2Xサービス・タイプ（e.g., V2V、V2I、V2P）、及び（ｆ）UE１００又はRSU１２０のデバイス・タイプ（e.g., RSU、Vehicle、Pedestrian）、のうち少なくとも１つを示してもよい。
【００４１】
さらに又はこれに代えて、V2X UE情報は、RSU表示（RSU indication）を含んでもよい。RSU表示は、送信元UEがRSUであるか否かを示す。さらにRSU表示は、RSUのタイプを含んでもよい。RSUのタイプは、RSUが設置される道路の種別（e.g., 上り車線、下り車線、高架下、高架上、地上、地下、一般道路、又は高速道路）を示してもよい。なお、RSU表示は、Mobility Management Entity（MME）からeNB（i.e., eNB１３０又はRSU (eNB)２２０）に、E-RAB SETUP REQUESTメッセージ又はINITIAL CONTEXT SETUP REQUESTメッセージを用いて送信されてもよい。
【００４２】
なお、V2X UE情報は、eNB１３０又はRSU（eNB）２２０との制御コネクション（e.g., Radio Resource Control (RRC) Connection）の確立手順において送信されてもよい。例えば、UE１００又はRSU１２０は、RRCコネクション確立手順において、RRC Connection Setup Completeメッセージ、又はUE capability Signalingを用いてV2X UE情報を送信してもよい。なお、RSU（UE）１２０がV2X UE情報（e.g., RSU表示）を送信する場合、eNB１３０はS1APのINITIAL UE MESSAGEメッセージ又はE-RAB SETUP RESPONSEメッセージで、当該メッセージがRSUに関するものであることを示す情報（e.g., RSU Indicator）をMMEに送信してもよい。
【００４３】
図４のステップ４０３では、ネットワーク４１０（e.g., eNB１３０、RSU２２０、又はV2Xコントローラ１５０）は、UE１００又はRSU１２０からのV2X UE情報の受信に応答して、V2X設定（V2X Configuration）をUE１００又はRSU１２０に送信する。例えば、V2X設定は、RRC Connection Reconfigurationメッセージを用いて送信されてもよい。UE１００又はRSU１２０から送信されたV2X UE情報に基づくV2X設定の生成は、eNB１３０又はeNBとして動作するRSU２２０によって行われてもよいし、V2Xコントローラ１５０によって行われてもよい。UE１００又はRSU１２０は、ネットワーク４１０から送信されるV2X設定を受信し、当該V2X設定に従ってV2X通信を行う。
【００４４】
なお、V2X設定（V2X configuration）は、V2Xサービスために確保された個別の搬送波周波数帯域ｆ１、LSAのための共用周波数帯域ｆ２、及びセルラー通信ネットワークのオペレータにライセンスされた搬送波周波数帯域ｆ３のいずれで送信されてもよい。さらに、V2X設定はRSU１２０から送信されてもよい。例えば、RSU（UE）１２０が、eNB１３０から送信されるV2X設定を受信し、当該V2X設定（の少なくとも一部）をV2Xサービスための個別周波数帯域ｆ１でグループキャストしてもよいし、UE１００へ転送（中継）してもよい。
【００４５】
いくつかの実装において、V2X設定は、V2Xサービスのために使用される搬送波周波数帯域の測定設定を示してもよい。いくつかの実装において、V2X設定は、V2Xサービスのための無線リソース設定を含んでもよい。当該無線リソース設定は、データ無線ベアラ（Data Radio Bearer（DRB））の設定及びシグナリング無線ベアラ（Signalling Radio Bearer（SRB））の設定のいずれか又は両方を含んでもよい。DRB設定は、以下に列挙される要素のうち少なくとも１つを含んでもよい：
・Multimedia Broadcast/Multicast Service（MBMS）のためのPhysical Multicast Channel（PMCH）の設定；
・Single Cell Point to Multi-point（SC-PTM）のためのPhysical Downlink Shared Channel（PDSCH）の設定；
・Logical Channel ID（LCID）；及び
・E-UTRAN Radio Access Bearer（E-RAB） identity。
【００４６】
さらに又はこれに代えて、V2X設定は、UE１００又はRSU１２０によるV2Xサービスのための自発的なリソース選択に使用される無線リソースプールを示してもよい。V2X設定は、UE１００又はRSU１２０に対するV2Xサービスのための個別無線リソースの割り当てを示してもよい。
【００４７】
例えば、ネットワーク４１０は、送信元UEがRSUであることを示すRSU表示を包含するV2X UE情報をRSU１２０から受信したことに応答して、RSUのために確保された無線リソースの割り当てを示すV2X設定をRSU１２０に送信してもよい。又は、ネットワーク４１０は、ネットワーク４１０の上位装置（e.g., MME）から下位装置（e.g., eNB）へ対象UEがRSUであることを示す通知を受信したことに応答して、RSUのために確保された無線リソースの割り当てを示すV2X設定をRSU１２０に送信してもよい。これにより、ネットワーク４１０は、UEとして動作するRSU１２０を通常のUE１００から区別することができ、通常のUE１００に割り当てられる無線リソース（e.g., 周波数）とは異なる無線リソース（e.g., 周波数）をUEとして動作するRSU１２０に割り当てることができる。
【００４８】
さらに又はこれに代えて、ネットワーク４１０は、RSU１２０がRSUとしてどのように動作するべきかを示すRSU設定（RSU Configuration）をRSU１２０に送信してもよい。RSU設定は、RRC Connection Reconfigurationメッセージで送信されてもよい。さらに、RSU設定は、V2X設定の少なくとも一部を含んでもよい。さらにまた、RSU設定は、RSU１２０がRelay UEとしてV2X報告メッセージをネットワーク（e.g., eNB）へ送信すべきか、又はRSU１２０がV2X UEとしてV2Vメッセージを受信したことに応答してネットワーク（e.g., eNB）へV2X報告メッセージを送信すべきか、を暗示的又は明示的にRSU１２０に示してもよい。暗示的に示す場合、RSU１２０は、RSU設定がRelay UEとして動作するのに必要な無線リソース設定情報（e.g. Radio Resource Configuration）を含むか否かで判定してもよい。例えば、当該無線リソース設定情報が含まれていたらRSU１２０はRelay UEとして動作し、当該無線リソース設定情報が含まれていなかったらRSU１２０はV2V UEとして動作してもよい。また、明示的に示す場合、RSU設定はRSUの動作モードを示してもよい。動作モードは、例えば、Relay UE mode、V2V UE modeなどでもよい。
【００４９】
ここで、同じV2X設定（V2X configuration）が適用されるエリアは、V2Xサービスエリア（V2X Service Area (SA)）として規定されてもよい。V2X SAは、V2Xサービスために確保された個別の搬送波周波数帯域ｆ１、LSAのための共用周波数帯域ｆ２、及びセルラー通信ネットワークのオペレータにライセンスされた搬送波周波数帯域ｆ３のいずれにおいて定義されてもよい。例えば、セルは周波数帯域ｆ３で定義され、V2X SAは周波数帯域ｆ１又はｆ２で定義されてもよい。V2X SAは、セルとは独立に定義されてもよいし、セルと関連づけて定義されてもよい。前者の場合、ある１つのセル内に複数のV2X SAが存在してもよいし、複数のセルにまたがる（つまり、複数のセルの各々を少なくとも部分的にカバーする）１つのV2X SAが存在してもよい。後者の場合、１セルまたは複数のセルの組み合わせによって１つのV2X SAが定義されてもよい。さらに、UEが同じV2X SAに属するセル間を移動（セル再選択またはハンドオーバを実行）する場合、当該UEはV2Xサービスを中断せずに継続してもよいし、セル再選択またはハンドオーバの実行中は中断するが、これが完了するとすぐ再開してもよい。つまり、V2X SAは、V2X設定の”Valid area”と考えることができる。V2X SAの情報（e.g., V2X SA Index(ID)）は、V2X設定に含まれる情報要素（IE）の１つとして送信されてもよいし、V2X設定とは別のメッセージ又はシグナリングで送信されてもよい。例えば、eNB１３０またはRSU（eNB）２２０が周波数帯域ｆ３でV2X設定を送信し、それにV2X SAの情報が含まれてもよい。この場合、さらに、RSU（UE）１２０が周波数帯域ｆ１又はｆ２でV2X SAの情報を送信してもよい。RSU（UE）１２０は、V2X SAの情報をブロードキャストまたはグループキャストしてもよいし、UE１００へ転送（中継）してもよい。
【００５０】
図４を参照して説明された手順によれば、UE１００又はUEとして動作するRSU１２０がV2Xサービスを開始するために必要なプロビジョニングを行うことができる。
【００５１】
＜第２の実施形態＞
本実施形態では、V2XサービスをサポートするUEのハンドオーバの具体例が説明される。図１に示された例において、UE１００は、eNB１３０Ｓによって提供されるソースセルからeNB１３０Ｔによって提供されるターゲットセルへのハンドオーバを行ってもよい。同様に、図２に示された例において、UE１００は、RSU（eNB）２２０によって提供されるソースセルからRSU（eNB）２２１によって提供されるターゲットセルへのハンドオーバを行ってもよい。
【００５２】
図５は、本実施形態に係るハンドオーバ手順の一例である処理５００を示すシーケンス図である。ステップ５０１では、UE１００は、ソースeNB１３０Ｓ（又はRSU２２０）に接続し、V2Xサービス（V2X通信）を行っている。ステップ５０２では、UE１００は、測定報告をソースeNB１３０Ｓ（又はRSU２２０）に送信する。当該測定報告は、UE１００による測定値が所定のハンドオーバ・イベント条件に合致した場合に送信される。
【００５３】
ステップ５０３では、ソースeNB１３０Ｓ（又はRSU２２０）は、測定報告に基づいてUE１００のハンドオーバを決定し、V2X表示（V2X indication）を包含するハンドオーバ要求をターゲットeNB１３０Ｔ（又はRSU２２１）に送る。V2X表示は、UE１００がV2Xサービスに関心があること、V2Xサービスの利用を許可されていること、V2Xサービスのために認証済みであること、及びV2Xサービスのために承認済みであること、のうち少なくとも１つを示す。
【００５４】
ステップ５０４では、ターゲットeNB１３０Ｔ（又はRSU２２１）は、ハンドオーバ要求の受信に応答して、ハンドオーバを受け入れることを示すハンドオーバ応答（Handover Request ACK）をソースeNB１３０Ｓ（又はRSU２２０）に送る。当該ハンドオーバ応答は、ターゲットeNB１３０Ｔ（又はRSU２２１）が提供するターゲットセルに関するV2X設定を包含する。
【００５５】
ステップ５０５では、ソースeNB１３０Ｓ（又はRSU２２０）は、ターゲットセルへのハンドオーバをUE１００に指示するために、ターゲットセルに関するV2X設定を包含するハンドオーバ・コマンド（RRC Connection Reconfigurationメッセージ）を送信する。V2X設定は、ターゲットセルにおいて提供されるV2Xサービス、又はターゲットセルが包含する（又は包含される）V2Xサービスエリアの情報（e.g., V2X SA Index(ID)）を含んでもよい。
【００５６】
ステップ５０６では、ハンドオーバ・コマンド（RRC Connection Reconfigurationメッセージ）の受信に応答して、UE１００は、ターゲットeNB１３０Ｔ（又はRSU２２１）への切り替えを行う。すなわち、UE１００は、ターゲットeNB１３０Ｔ（又はRSU２２１）へのランダムアクセス手順を行ってターゲットセルとの同期を確立し、ハンドオーバ確認（Handover Confirm）メッセージ（RRC Connection Reconfiguration Completeメッセージ）をターゲットeNB１３０Ｔ（又はRSU２２１）に送信する。
【００５７】
ステップ５０７では、UE１００は、V2X UE情報をターゲットeNB１３０Ｔ（又はRSU２２１）に送信する。なお、UE１００のV2X UE情報は、ステップ５０３においてソースeNB１３０Ｓ（又はRSU２２０）からターゲットeNB１３０Ｔ（又はRSU２２１）に送られてもよい。この場合、ステップ５０７でのV2X UE情報の送信は省略されてもよい。
【００５８】
ステップ５０８では、UE１００は、ターゲットeNB１３０Ｔ（又はRSU２２１）によって提供されるターゲットセルにおいてV2Xサービス（V2X通信）を行う。
【００５９】
上述したように、本実施形態では、ソースeNB１３０Ｓ（又はRSU２２０）は、UE１００に関するV2X表示（V2X indication）をターゲットeNB１３０Ｔ（又はRSU２２１）にハンドオーバ準備手順（i.e., ステップ５０３）において送るよう構成されている。さらに、ターゲットeNB１３０Ｔ（又はRSU２２１）は、V2X表示（V2X indication）を包含するハンドオーバ要求を受け入れる場合に、ターゲットセルのV2X設定をソースeNB１３０Ｓ（又はRSU２２０）にハンドオーバ準備手順（i.e., ステップ５０４）において送るよう構成されている。したがって、本実施形態に係るハンドオーバ手順によれば、UE１００は、ハンドオーバ後もV2Xサービスを継続することができる。なお、UE１００は、ハンドオーバを実行中もV2Xサービスを継続してもよい。例えば、ハンドオーバのターゲットセル（又はeNB１３０Ｔ）とソースセル（又はeNB１３０Ｓ）で同じV2Xサービスが提供されている場合、またはターゲットセルとソースセルが同じV2Xサービスエリア（V2X SA）に含まれる場合、UE１００はV2Xサービスを継続してもよい。
【００６０】
＜第３の実施形態＞
本実施形態では、V2Xに関するメッセージ転送のいくつかの具体例が説明される。図６は、メッセージ転送の第１の例を示している。図６の例では、RSU（UE）１２０は、車両UE１００からの通知６６０の受信に応答して、通知６６０に基づくV2X報告情報（V2X report information）６７０を生成し、生成されたV2X報告情報６７０をeNB１３０を介してサーバ１４０に送る。
【００６１】
例えば、RSU（UE）１２０は、通知６６０のコンテンツをアプリケーションレイヤで解析（又は検出）し、通知６６０のコンテンツを包含するV2X報告情報６７０を生成してもよい。RSU（UE）１２０は、通知６６０のコンテンツが所定の条件を満たす場合に（例えば、通知６６０のコンテンツが所定のカテゴリ、グループ、又はサービスに関する場合に）、V2X報告情報６７０を送信してもよい。
【００６２】
これに代えて、RSU（UE）１２０は、通知６６０の送信に使用されるレイヤ２ヘッダ（e.g., Medium Access Control（MAC）ヘッダ）を用いて通知６６０のコンテンツタイプ（例えば、カテゴリ、グループ、又はサービス）を検出し、所定のコンテンツタイプを検出した場合にV2X報告情報６７０を送信してもよい。
【００６３】
通知６６０は、例えば、UE１００が搭載された車両の緊急停止（emergency stop）若しくは事故に関するメッセージ、車両の走行状況に関するメッセージ、又は周辺の道路状況（e.g., 渋滞、気象、事故、道路上の障害物）に関するメッセージであってもよいが、これらに限定されない。UE１００は、V2V通信を介して他の車両（UE）から受信したV2Vメッセージ又はこれから導かれるメッセージを通知６６０に含めてもよい。なお、通知６６０はUE１００から他の（不特定の）UEに対して送信されるV2Vメッセージであってもよく、RSU（UE）１２０は当該V2Vメッセージを通知６６０として受信してもよい。これに代えて、通知６６０はUE１００からRSU（UE）１２０へ向けた個別メッセージ（e.g., Uu UL）であってもよく、RSU（UE）１２０は当該個別メッセージを通知６６０として受信してもよい。
【００６４】
なお、RSU（UE）１２０は、車両UE１００からの通知６６０の受信に依存せずに、自律的にV2X報告情報６７０を生成してもよい。例えばRSU（UE）１２０は、カメラ及び気象計などのセンサを利用して管理エリア内の道路状況（e.g., 渋滞、気象、事故、道路上の障害物）を監視し、監視結果に基づいてV2X報告情報６７０を生成してもよい。
【００６５】
いくつかの実装において、RSU（UE）１２０は、V2X報告情報６７０をユーザプレーン（U-plane）でサーバ１４０に向けて送信してもよい。この場合、eNB１３０は、V2X報告情報６７０を単に（トランスペアレントに）転送してもよい。あるいは、いくつかの実装において、RSU（UE）１２０は、V2X報告情報６７０をコントロールプレーン（C-plane）で送信してもよい。この場合、eNB１３０は、RSU（UE）１２０からのV2X報告情報６７００の受信に応答して、当該V2X報告情報６７０を含むV2X報告メッセージ（V2X report message）を生成し、生成されたV2X報告メッセージをサーバ１４０に送信してもよい。eNB１３０は、当該V2X報告メッセージをコントロールプレーン（C-plane）で送信してもよいしユーザプレーン（U-plane）で送信してもよい。
【００６６】
サーバ１４０は、RSU（UE）１２０からのV2X報告情報６７０の受信に応答して、V2X報告情報６７０に基づくV2X制御メッセージ６８０を生成する。V2X制御メッセージ６８０は、例えば、道路状況（e.g., 事故又は渋滞の発生）に関する警告、又は迂回路案内を含んでもよい。サーバ１４０は、車両UE１００〜１０２を含む複数の車両UEがV2X制御メッセージ６８０を受信できるように、V2X制御メッセージ６８０を送信する。図６の例では、V2X制御メッセージ６８０は、サーバ１４０からeNB１３０を介してRSU（UE）１２０及び１２１に送信され、各RSU（UE）によって車両UE１００〜１０２に送信される。各RSUは、V2X制御メッセージ６８０をユニキャストで各UEに送信してもよいし、V2X制御メッセージ６８０を複数のUEにグループキャスト、マルチキャスト、又はブロードキャストで送信してもよい。ここで言うグループキャストは、例えば、受信側（e.g., UE）が所定のフィルタリング処理により受信すべき情報か否かを判定し、受信すべき情報である場合には当該情報を復元する通信であってもよい。所定のフィルタリングは、例えば、UEがレイヤ２ヘッダに挿入されたグループ識別子を復元して、それが受信すべきグループ識別子である否かを判定することを含んでもよい。なお、グループ識別子は、予め受信側（e.g., UE）に設定されていてもよいし、送信側（e.g., eNB、アプリケーション・サーバ）から通知されてもよい。さらに、グループ識別子は、所定のグループ（e.g., UE群）を示す情報でもよいし、V2X SA Index(ID)でもよい。
【００６７】
図７に示された第２の例は、図６に示された配信経路とは異なるV2X制御メッセージ６８０の配信経路を示している。図７の例では、V2X制御メッセージ６８０は、RSU（UE）１２０及び１２１を経由せずに、eNB１３０から直接的に車両UE１００〜１０２に送信される。例えば、eNB１３０は、自身が提供するセル内に位置する複数のUEが受信できるように、V2X制御メッセージ６８０をブロードキャスト／マルチキャストしてもよい。
【００６８】
いくつかの実装において、eNB１３０は、V2X制御メッセージ６８０をユーザプレーン（U-plane）で送信してもよい。具体的には、eNB１３０は、ブロードキャスト・ベアラ、マルチキャスト・ベアラ、又はPoint-to-Multipoint（PTM）ベアラを用いてV2X制御メッセージ６８０を送信してもよい。V2X制御メッセージ６８０は、MBMSデータを運ぶためのデータ無線ベアラ、つまりMBMS Radio Bearer（MRB）又はPoint-to-Multipoint （PTM）Radio Bearer上で送信されてもよい。MBMSでは、同一データ（メッセージ）が共通のMRB（又はPTM無線ベアラ）を介して複数のUEsに送信される。
【００６９】
これに代えて、いくつかの実装において、eNB１３０は、V2X制御メッセージ６８０をコントロールプレーン（C-plane）で送信してもよい。eNB１３０は、System Information Block（SIB）を運ぶブロードキャスト制御チャネル（Broadcast Control Channel（BCCH））上でV2X制御メッセージ６８０を送信してもよい。例えば、LTE/Evolved Packet System（EPS）におけるCBSのためのPublic Warning System（PWS）が利用されてもよい。3GPPは、PWSとして、日本で用いられるEarthquake and Tsunami Warning System（ETWS）、北米で用いられるCommercial Mobile Alert System（CMAS）、韓国で用いられるKorean Public Alert System（KPAS）、及びヨーロッパ諸国で用いられるEU-ALERTを規格化している。PWSでは、警報メッセージ（Primary Notification及びSecondary Notification）がSIB 10及びSIB 11において送信される。なお、V2X制御メッセージ６８０がC-planeで送信される場合、サーバ１４０からMMEを介してeNB１３０に送信されてもよい。この場合、WRITE-REPLACE WARNING REQUESTメッセージにて、V2X制御メッセージが送信されてもよい。
【００７０】
図８は、メッセージ転送の第３の例を示している。図８の例では、RSU１２０及び１２１は、ProSe UE-to-Network Relay（i.e., Relay UE）として動作する。ProSe UE-to-Network Relay（Relay UE）として動作するRSU１２０及び１２１は、車両UE１００（ProSe Remote UE）のアプリケーションレイヤを終端せずに透過する。したがって、図８の例では、RSU１００は、車両UE１００から受信したアプリケーションレイヤのV2X報告情報８７０をeNB１３０に転送する。つまり、車両UE１００からのV2X報告情報８７０は、Relay UEとしてのRSU１２０及びeNB１３０によって中継され、最終的にサーバ１４０に到達する。サーバ１４０は、V2X報告情報８７０の受信に応答して、V2X制御メッセージ８８０を生成し、これを複数のUE１００〜１０２に送信する。V2X制御メッセージ８８０は、eNB１３０及びRSU１２０または１２１を経由して、複数のUE１００〜１０２に送信されてもよい。あるいは、図７を参照して説明した第２の例と同様に、V2X制御メッセージ８８０は、RSU１０及び１２１を経由せずに、eNB１３０から複数のUE１００〜１０２に直接的に送信されてもよい。
【００７１】
図９は、メッセージ転送の第４の例を示している。図９の例では、RSU２２０及び２２１の各々は、基地局（eNB）として動作する。RSU（eNB）２２０は、車両UE１００からの通知９６０の受信に応答して、通知９６０に基づくV2X報告情報９７０を生成し、生成されたV2X報告情報９７０をサーバ１４０に送る。ここで、通知９６０は、UE１００からRSU（eNB）への個別メッセージ（e.g., Uu UL）でもよいし、V2Vメッセージでもよい。また、RSU（eNB）２２０は、V2X報告情報９７０をコントロールプレーン（C-plane）で送信してもよいしユーザプレーン（U-plane）で送信してもよい。
【００７２】
サーバ１４０は、RSU（eNB）２２０からのV2X報告情報９７０の受信に応答して、V2X報告情報９７０に基づくV2X制御メッセージ９８０を生成する。図６及び図７の例と同様に、サーバ１４０は、車両UE１００〜１０２を含む複数の車両UEがV2X制御メッセージ９８０を受信できるように、V2X制御メッセージ９８０を送信する。ただし、図９の例では、V2X制御メッセージ９８０は、サーバ１４０からRSU（eNB）２２０及び２２１に送信され、各RSU（eNB）によって車両UE１００〜１０２に送信される。RSU（eNB）２２０及び２２１は、図７に示されたeNB１３０と同様に、V2X制御メッセージ９８０をU-planeで送信してもよいしC-planeで送信してもよい。
【００７３】
図６〜図９は、V2X制御メッセージ６８０、８８０、及び９８０が複数の車両UE１００〜１０２によって受信される例を示した。しかしながら、V2X制御メッセージ６８０、８８０、及び９８０は、歩行者（歩行者のUE）によって受信されてもよい。また、V2X制御メッセージを車両UEが受信すべき情報と、歩行者UEが受信すべき情報を含み、それぞれのUEがフィルタリングを行って受信すべき情報を抽出するようにしてもよい。さらに、車両UE向けと歩行者UE向けの異なるV2X制御メッセージは、それぞれ異なる送信形態（e.g., U-plane, C-plane）で送信されてもよい。
【００７４】
なお、図６〜図９に示された複数のメッセージ転送の例は、適宜組み合わせて試用されてもよい。すなわち、車両UE１００からサーバ１４０へのメッセージの転送のために、図３に示された３つの経路３６１、３６２、及び３６３のいずれが使用されてもよい。同様に、サーバ１４０から車両UE１００へのメッセージ転送のために、図３に示された３つの経路３６１、３６２、及び３６３のいずれが使用されてもよい。
【００７５】
図６に示されたRSU（UE）１２０及びeNB１３０と図９に示されたRSU（eNB）２２０が一緒に使用される場合、eNB１３０は、V2X報告情報６７０を基地局間インタフェース（e.g., X2インタフェース）を介してRSU（eNB）２２０に転送してもよい。また、eNB１３０は、V2X制御メッセージ６８０を基地局間インタフェース（e.g., X2インタフェース）を介してRSU（eNB）２２０に転送してもよい。
【００７６】
続いて以下では、上述の複数の実施形態で説明されたUE１００〜１０２、RSU１２０及び２２０、eNB１３０、サーバ１４０、並びにV2Xコントローラ１５０の構成例について説明する。図１０は、eNB１３０の構成例を示すブロック図である。eNBとして動作するRSU２２０も図１０の構成と同様の構成を有してもよい。図１０を参照すると、eNB１３０は、RFトランシーバ１００１、ネットワークインターフェース１００３、プロセッサ１００４、及びメモリ１００５を含む。RFトランシーバ１００１は、UEsと通信するためにアナログRF信号処理を行う。RFトランシーバ１００１は、複数のトランシーバを含んでもよい。RFトランシーバ１００１は、アンテナ１００２及びプロセッサ１００４と結合される。RFトランシーバ１００１は、変調シンボルデータ（又はOFDMシンボルデータ）をプロセッサ１００４から受信し、送信RF信号を生成し、送信RF信号をアンテナ１００２に供給する。また、RFトランシーバ１００１は、アンテナ１００２によって受信された受信ＲＦ信号に基づいてベースバンド受信信号を生成し、これをプロセッサ１００４に供給する。
【００７７】
ネットワークインターフェース１００３は、ネットワークノード（e.g., 他のeNBs、Mobility Management Entity (MME)、Serving Gateway(S-GW)、及びTSS又はITSサーバ）と通信するために使用される。ネットワークインターフェース１００３は、例えば、IEEE 802.3 seriesに準拠したネットワークインターフェースカード（NIC）を含んでもよい。
【００７８】
プロセッサ１００４は、無線通信のためのデジタルベースバンド信号処理を含むデータプレーン処理とコントロールプレーン処理を行う。例えば、LTEおよびLTE-Advancedの場合、プロセッサ１００４によるデジタルベースバンド信号処理は、PDCPレイヤ、RLCレイヤ、MACレイヤ、およびPHYレイヤの信号処理を含んでもよい。さらに、プロセッサ１００４による信号処理は、X2-Uインタフェース及びS1-UインタフェースでのGTP-U・UDP/IPレイヤの信号処理を含んでもよい。また、プロセッサ１００４によるコントロールプレーン処理は、X2APプロトコル、S1-MMEプロトコルおよびRRCプロトコルの処理を含んでもよい。
【００７９】
プロセッサ１００４は、複数のプロセッサを含んでもよい。例えば、プロセッサ１００４は、デジタルベースバンド信号処理を行うモデム・プロセッサ（e.g., DSP）、X2-Uインタフェース及びS1-UインタフェースでのGTP-U・UDP/IPレイヤの信号処理を行うプロセッサ（e.g., DSP）、及びコントロールプレーン処理を行うプロトコルスタック・プロセッサ（e.g., CPU又はMPU）を含んでもよい。
【００８０】
メモリ１００５は、揮発性メモリ及び不揮発性メモリの組み合わせによって構成される。メモリ１００５は、物理的に独立した複数のメモリデバイスを含んでもよい。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。メモリ１００５は、プロセッサ１００４から離れて配置されたストレージを含んでもよい。この場合、プロセッサ１００４は、ネットワークインターフェース１００３又は図示されていないI/Oインタフェースを介してメモリ１００５にアクセスしてもよい。
【００８１】
メモリ１００５は、上述の複数の実施形態で説明されたeNB１３０による処理を行うための命令群およびデータを含むソフトウェアモジュール（コンピュータプログラム）を格納してもよい。いくつかの実装において、プロセッサ１００４は、当該ソフトウェアモジュールをメモリ１００５から読み出して実行することで、上述の実施形態で説明されたeNB１３０の処理を行うよう構成されてもよい。
【００８２】
図１１は、UE（又はRelay UE）として動作するRSU１２０の構成例を示すブロック図である。UE１０１〜１０２も、図１１の構成と同様の構成を有してもよい。Radio Frequency（RF）トランシーバ１１０１は、eNB１３０と通信するためにアナログRF信号処理を行う。RFトランシーバ１１０１により行われるアナログRF信号処理は、周波数アップコンバージョン、周波数ダウンコンバージョン、及び増幅を含む。RFトランシーバ１１０１は、アンテナ１１０２及びベースバンドプロセッサ１１０３と結合される。すなわち、RFトランシーバ１１０１は、変調シンボルデータ（又はOFDMシンボルデータ）をベースバンドプロセッサ１１０３から受信し、送信RF信号を生成し、送信RF信号をアンテナ１１０２に供給する。また、RFトランシーバ１１０１は、アンテナ１１０２によって受信された受信ＲＦ信号に基づいてベースバンド受信信号を生成し、これをベースバンドプロセッサ１１０３に供給する。
【００８３】
ベースバンドプロセッサ１１０３は、無線通信のためのデジタルベースバンド信号処理（データプレーン処理）とコントロールプレーン処理を行う。デジタルベースバンド信号処理は、(a) データ圧縮／復元、(b) データのセグメンテーション／コンカテネーション、(c) 伝送フォーマット（伝送フレーム）の生成／分解、(d) 伝送路符号化／復号化、(e) 変調（シンボルマッピング）／復調、及び(f) Inverse Fast Fourier Transform（IFFT）によるOFDMシンボルデータ（ベースバンドOFDM信号）の生成などを含む。一方、コントロールプレーン処理は、レイヤ１（e.g., 送信電力制御）、レイヤ２（e.g., 無線リソース管理、及びhybrid automatic repeat request（HARQ）処理）、及びレイヤ３（e.g., アタッチ、モビリティ、及び通話管理に関するシグナリング）の通信管理を含む。
【００８４】
例えば、LTEおよびLTE-Advancedの場合、ベースバンドプロセッサ１１０３によるデジタルベースバンド信号処理は、Packet Data Convergence Protocol（PDCP）レイヤ、Radio Link Control（RLC）レイヤ、MACレイヤ、およびPHYレイヤの信号処理を含んでもよい。また、ベースバンドプロセッサ１１０３によるコントロールプレーン処理は、Non-Access Stratum（NAS）プロトコル、RRCプロトコル、及びMAC CEの処理を含んでもよい。
【００８５】
ベースバンドプロセッサ１１０３は、デジタルベースバンド信号処理を行うモデム・プロセッサ（e.g., Digital Signal Processor（DSP））とコントロールプレーン処理を行うプロトコルスタック・プロセッサ（e.g., Central Processing Unit（CPU）、又はMicro Processing Unit（MPU））を含んでもよい。この場合、コントロールプレーン処理を行うプロトコルスタック・プロセッサは、後述するアプリケーションプロセッサ１１０４と共通化されてもよい。
【００８６】
アプリケーションプロセッサ１１０４は、CPU、MPU、マイクロプロセッサ、又はプロセッサコアとも呼ばれる。アプリケーションプロセッサ１１０４は、複数のプロセッサ（複数のプロセッサコア）を含んでもよい。アプリケーションプロセッサ１１０４は、メモリ１１０６又は図示されていないメモリから読み出されたシステムソフトウェアプログラム（Operating System（OS））及び様々なアプリケーションプログラム（例えば、通話アプリケーション、WEBブラウザ、メーラ、カメラ操作アプリケーション、音楽再生アプリケーション）を実行することによって、RSU１２０の各種機能を実現する。
【００８７】
いくつかの実装において、図１１に破線（１１０５）で示されているように、ベースバンドプロセッサ１１０３及びアプリケーションプロセッサ１１０４は、１つのチップ上に集積されてもよい。言い換えると、ベースバンドプロセッサ１１０３及びアプリケーションプロセッサ１１０４は、１つのSystem on Chip（SoC）デバイス１１０５として実装されてもよい。SoCデバイスは、システムLarge Scale Integration（LSI）またはチップセットと呼ばれることもある。
【００８８】
メモリ１１０６は、揮発性メモリ若しくは不揮発性メモリ又はこれらの組合せである。メモリ１１０６は、物理的に独立した複数のメモリデバイスを含んでもよい。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。例えば、メモリ１１０６は、ベースバンドプロセッサ１１０３、アプリケーションプロセッサ１１０４、及びSoC１１０５からアクセス可能な外部メモリデバイスを含んでもよい。メモリ１１０６は、ベースバンドプロセッサ１１０３内、アプリケーションプロセッサ１１０４内、又はSoC１１０５内に集積された内蔵メモリデバイスを含んでもよい。さらに、メモリ１１０６は、Universal Integrated Circuit Card（UICC）内のメモリを含んでもよい。
【００８９】
メモリ１１０６は、上述の複数の実施形態で説明されたRSU１２０による処理を行うための命令群およびデータを含むソフトウェアモジュール（コンピュータプログラム）を格納してもよい。いくつかの実装において、ベースバンドプロセッサ１１０３又はアプリケーションプロセッサ１１０４は、当該ソフトウェアモジュールをメモリ１１０６から読み出して実行することで、上述の実施形態で説明されたRSU１２０の処理を行うよう構成されてもよい。
【００９０】
図１２は、サーバ１４０の構成例を示すブロック図である。V2Xコントローラ１５０も、図１２の構成と同様の構成を有してもよい。図１２を参照すると、サーバ１４０は、ネットワークインターフェース１２０１、プロセッサ１２０２、及びメモリ１２０３を含む。ネットワークインターフェース１２０１は、ネットワークノード（e.g., eNodeB１３０、MME、P-GW、）と通信するために使用される。ネットワークインターフェース１２０１は、例えば、IEEE 802.3 seriesに準拠したネットワークインタフェースカード（NIC）を含んでもよい。
【００９１】
プロセッサ１２０２は、メモリ１２０３からソフトウェア（コンピュータプログラム）を読み出して実行することで、上述の実施形態においてシーケンス図及びフローチャートを用いて説明されたサーバ１４０の処理を行う。プロセッサ１２０２は、例えば、マイクロプロセッサ、MPU、又はCPUであってもよい。プロセッサ１２０２は、複数のプロセッサを含んでもよい。
【００９２】
メモリ１２０３は、揮発性メモリ及び不揮発性メモリの組み合わせによって構成される。メモリ１２０３は、プロセッサ１２０２から離れて配置されたストレージを含んでもよい。この場合、プロセッサ１２０２は、図示されていないI/Oインタフェースを介してメモリ１２０３にアクセスしてもよい。
【００９３】
図１２の例では、メモリ１２０３は、ソフトウェアモジュール群を格納するために使用される。プロセッサ１２０２は、これらのソフトウェアモジュール群をメモリ１２０３から読み出して実行することで、上述の実施形態において説明されたサーバ１４０の処理を行うことができる。
【００９４】
図１０〜図１２を用いて説明したように、上述の実施形態にUE１００〜１０２、RSU１２０及び３２０、eNB１３０、サーバ１４０、並びにV2Xコントローラ１５０が有するプロセッサの各々は、図面を用いて説明されたアルゴリズムをコンピュータに行わせるための命令群を含む１又は複数のプログラムを実行する。このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９５】
＜その他の実施形態＞
図１に示された構成において、RSU１２０及び１２１の各々は、eNB１３０又はサーバ１４０に周期的にキープアライブ（keep-alive）メッセージ又はハートビート（heartbeat）メッセージを送信するよう動作してもよい。eNB１３０又はサーバ１４０は、あるRSUからのキープアライブ又はハートビートメッセージの受信に失敗した場合に、当該RSUの故障発生を検出してもよい。
【００９６】
上述の実施形態は、LTE/LTE-Advanced及びその改良について主に説明した。しかしながら、上述の実施形態は、他の無線通信ネットワーク又はシステムに適用されてもよい。
【００９７】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【００９８】
この出願は、２０１５年９月１８日に出願された日本出願特願２０１５−１８５２９０を基礎とする優先権を主張し、その開示の全てをここに取り込む。
【符号の説明】
【００９９】
１００〜１０２  UE
１２０、１２１  RSU
１３０  eNB
１４０  サーバ
１５０  V2Xコントローラ
２２０、２２１  RSU
１００１  RFトランシーバ
１００４  プロセッサ
１１０１  RFトランシーバ
１１０３  ベースバンドプロセッサ
１１０４  アプリケーションプロセッサ
１２０２  プロセッサ
１２０３  メモリ
【図１】
2020114031.tif 000003
【図２】
2020114031.tif 000004
【図３】
2020114031.tif 000005
【図４】
2020114031.tif 000006
【図５】
2020114031.tif 000007
【図６】
2020114031.tif 000008
【図７】
2020114031.tif 000009
【図８】
2020114031.tif 000010
【図９】
2020114031.tif 000011
【図１０】
2020114031.tif 000012
【図１１】
2020114031.tif 000013
【図１２】
2020114031.tif 000014